(57)【要約】【課題】  拡散板に分割面に遮光性と反射率が高く、且つ薄い材料で仕切りを設けて例えば２色表示の場合で異色表示してもその境界面で色が滲まず、同色表示してもその境界に仕切りの黒い線が目立たず、特に色が特定されていないインテリジェント表示灯などに用いて極めて品位の高い表示を行うことができる表示灯を提供することを目的とする。【解決手段】  プリント基板上に複数個のＬＥＤを配置し、プリント基板のＬＥＤ実装面の前面に拡散板を配置した表示灯において、前記拡散板を分割色ごとに分割し、拡散板間の隙間に光不透過性の区切りを設けた表示灯とした。【選択図】  図２
2006337393.tif 000002
【特許請求の範囲】
【請求項１】
プリント基板上に複数個のＬＥＤを配置し、プリント基板のＬＥＤ実装面の前面に拡散板を配置した表示灯において、前記拡散板を分割色ごとに分割し、拡散板間の隙間に光不透過性の区切りを設けた表示灯。
【請求項２】
光不透過性の区切りが金属アルミである請求項１記載の表示灯。
【発明の詳細な説明】
【技術分野】
【０００１】
本発明は、ＬＥＤを用いた表示灯に関する。
【背景技術】
【０００２】
従来、多分割可能なＬＥＤを用いた表示灯は、左右に分割され、各々単色で固定された色で発光し、その分割された色に応じた色のフィルターと、その後に発光面を形成するための分割または一体の拡散板を用いている。
【０００３】
隣接する色の間には、複数個を同じ色で使用する場合を考慮して隣接間に仕切り板を入れることをしていない。これは仕切り板を入れると同色で点灯する場合にその仕切りが黒い線となって一体性を損なう為であった。
【０００４】
ところが異色で光らせると、隣接した色の光が拡散板で拡散しあう為に境界に色のにじみが生じる。そこで拡散板を各々の色に分割し、分割面部分の反射でゆるい仕切りの役割を持たせる方法が一般的であった。
【０００５】
しかし、この方法は同色表示を重視した方法であり、異色表示では甚だ品位を損ねる表示しかできない。
【特許文献１】特開２００３−００５６７６
【特許文献２】特開平０９−２８１９１０
【発明の開示】
【発明が解決しようとする課題】
【０００６】
表示灯の多分割表示を単色のＬＥＤ素子色と色板フィルターを選択して固定する従来方式に対して、通信用ＡＳＩＣを搭載し、省配線、インテリジェント化し、多分割の色選択を信号によって行なうような表示方法が行なわれるようになってきている。この場合の例が断面形状として図２に示してある。このような場合フィルター色は特定できず、従来のように分割して配置しておく必要がなくなる。即ちフィルターは透明か乃至は不要になる。
【０００７】
拡散板は分割して配置するにしても従来方式のように仕切り板を入れないで分割面での反射に頼る方式は隣り合う色が異なる場合に色のにじみを生じ、甚だ品位を損ねるという欠点があることは従来技術で述べた通りである。インテリジェント化したことにふさわしい品位の高い分割表示においては隣接間の発光が滲まず、且つ仕切り部の分割線を感じさせない構造にしなければならないという課題がある。
【課題を解決するための手段】
【０００８】
そこで、隣接異色間では滲みがなく、尚且つ隣接同色の場合には極力その仕切りの境界が目立たない高品位な表示をする為に、表示灯表面で均一な発光をさせる為に設けた拡散板を異色間毎に分割し、その間に遮光性で反射率が高く、且つ薄い材料を介在させる手段を講じた表示灯とした。
【発明の効果】
【０００９】
本発明は、上述のように分割で表示する表示灯であって、その拡散板に分割面に遮光性と反射率が高く、且つ薄い材料で仕切りを設けたので例えば２色表示の場合で異色表示してもその境界面で色が滲まず、同色表示してもその境界に仕切りの黒い線が目立たず、特に色が特定されていないインテリジェント表示灯などに用いて極めて品位の高い表示を行なうことができる。
【発明を実施するための最良の形態】
【００１０】
以下、本発明の表示灯の具体的一実施例について、添付する図面を参照しながら従来例との対比で説明する。
【００１１】
図１は、本発明の実施例を示す表面斜視図と裏面斜視図の２面図で、図２はその水平断面図である。
【００１２】
表面側にはレンズ２と称してあるが、透明のフラットな板があり、この裏側には表示すべき文字を印字した透明フィルム板を配する。内部のＬＥＤからの光によりその文字がＬＥＤ色をバックグラウンドとして視認できるようにした表示灯である。この例では２つの表示灯が１つのハウジング１に収容されたものを表しており、中央部に色の境界を示す仕切り４が示されている。
【００１３】
裏面側には給電・信号端子３が配置され、これにより分割された表示灯に信号と給電を行なう。この例では信号と電源を重畳し、２端子で制御できるインテリジェント表示灯を示している。
【００１４】
図２はその水平断面図で、本発明の説明の為に長手方向の断面を示している。
【００１５】
図１に示したレンズ２の裏面には、上に述べた印字フィルムが挿入されるが、図では挿入前の状態を示してある。更にその裏面には色板５及び拡散板６が配されている。
【００１６】
これは従来品の構成と同等であるが、本発明の場合には色板５は透明ないし省略してもよい。なぜなら本発明はインテリジェントな表示灯であり、信号により発光色を決定するので色は確定されていない為である。
【００１７】
拡散板６は分割されており、その間に本発明に係る薄くて、反射率、遮光性が高い材料でできた区切り１１を介在させている。
【００１８】
さらにその裏面には、一定の距離を介してプリント基板８上に分散して搭載されたＬＥＤ９が全面に配置されている。このＬＥＤ９は３色ＬＥＤで信号により選択するようにしてもよいし、単色ＬＥＤでフリッカーやＯＮ／ＯＦＦをコントロールしてもよいが、この場合は２つの表示灯を光らせることを例にとってあるので、プリント基板８上で右用ＬＥＤ、左用ＬＥＤと分け、制御上も２回路に独立させておく必要がある。
【００１９】
ＬＥＤの光が外部に漏れないように、また右と左のＬＥＤの光を仕切る為にプリント基板８の上面から拡散板６の手前までレンズ台７が配置されている。レンズ台７と仕切り板４は一体にしても、別のものにしてもよい。
【００２０】
ここで、ＬＥＤと拡散板までの一定の距離と拡散板の効果について説明する。
【００２１】
表示面は均一な輝度で光ることが望ましく、まず拡散板によりＬＥＤが直接粒状に見えることを防止するとともに、光を拡散させて均一性を高めている。またこの拡散板とLEDが近いとやはりＬＥＤが粒状に視認され均一性を損なう。そのため一定の距離を開ける必要がある。
【００２２】
プリント基板８上にはＬＥＤ９のみでなく、本発明を実施して効果があるインテリジェント化のための部品、例えば通信用ＡＳＩＣや制御用部品１０が示されている。
【００２３】
さてここで、本発明である拡散板を分割して、その間に薄くて反射率・遮光性に優れた材料を介在させる効果について説明する為に、従来技術において隣接間の色の滲みはどのようにして起こっているかを図３により説明する。
【００２４】
図３において、拡散板６は左右に分かれるか一体で形成されている。プリント基板８の右領域には赤、右には緑の光を発光するＬＥＤ９を配置してあるとする。
【００２５】
各々のＬＥＤ９から出た光は、仕切り板４の上端と拡散板６の交点において拡散板６による光の拡散が始まる。図３では右から出たの緑の光の経路を示している。
【００２６】
拡散板６入り口おいて光は一旦屈折して拡散板６に入射するが、拡散剤の影響で拡散し、拡散板６出口においては右の緑の光が左の赤の領域部分に侵入している。逆に左の赤の光も境界付近において右の緑の光と混色する。
【００２７】
従って境界付近の左の部分は赤を主体としたオレンジ色に、右の部分は緑を主体とした黄緑に光り、甚だ品位の悪い表示となる。
【００２８】
図４は、本発明による解決手段を示したものであり、２つに分割した拡散板６の境界には上記不具合を防止するための遮光性の高い区切り１１を設けている。これにより左右の光が混色することなく、単色の区切がハッキリとした品位の高い表示ができる。    
【００２９】
しかしながら、隣接同士を同色で光らせた場合、この区切り１１の部分が縦の黒い線となり、この種表示灯で用いる透明板に印刷した文字を用いる場合、文字の中に黒い線が残るという問題を生じる。
【００３０】
本発明では、区切り１１として遮光性が高く且つ表面での反射率の高く、且つ極めて薄い材料で行なったので、同色を表示する場合の境界の黒い縦線が極めて目立たず、かつ異色の場合は滲みが極めて少ない品位の高い表示を行なうことができる。
【００３１】
実験によれば、通常印刷する文字の線の巾は０．５ｍｍ程度であるので境界線が０．２ｍｍ以下であれば殆ど気にならない表示が可能であり、０．１ｍｍ以下の金属遮光版を用いれば殆ど目立たなくなる。
【００３２】
更に品位を高めるには、拡散板の光の終端部分は遮光板のない状態にして拡散光を利用すれば、極めて少ない色滲みはあるものの境界の目立たない表示ができることを実験により確認できた。
【産業上の利用可能性】
【００３３】
本発明の表示灯は、制御装置において故障の表示などにも使用できる。
【図面の簡単な説明】
【００３４】
【図１】本発明の表示灯の具体的一実施例の表面斜視図と裏面斜視図との２面図である。
【図２】図１の表示灯の水平断面図である。
【図３】従来例の燐色のにじみを説明する表示灯の水平断面図である。
【図４】本発明の表示灯の水平断面図である。
【符号の説明】
【００３５】
１…ハウジング
２…レンズ
３…給電・信号端子
４…仕切り
５…色板/透明板
６…拡散板
７…レンズ台
８…プリント板
９…ＬＥＤ
１０…制御部品
１１…区切り
【図１】
2006337393.tif 000003
【図２】
2006337393.tif 000004
【図３】
2006337393.tif 000005
【図４】
2006337393.tif 000006